(57)【要約】【課題】多くの部品を準備する必要がなく、操作が容易で、人の頭の形や大きさの多様性に対応できる理美容師練習用ウィッグを提供する。【解決手段】頭部７の中心に配置された支持殻９の表面に、多数の支持棒１１が放射状に配置され、支持棒１１の先端に頭皮部分１３が固定される。頭皮部分１３を押したり、引っ張ったりすることで、支持棒１１に力が加わり、放射状方向へ位置が変更され、人の頭の形や大きさの多様性に対応できる。支持棒１１は、筒状の筒棒１５の中にスライド棒１７が支持される。スライド棒１７は、スライド位置を摩擦により少なくとも複数の所定位置に保持できる。この保持手段１９として、スライド棒１７の側面に形成された保持突起２１が、筒棒１５の側面に形成された移動スリット２３内を移動し、移動スリット２３の縁の途中に複数が形成された凹部２５に保持される。【選択図】図1
2009028380.tif 000002
【特許請求の範囲】
【請求項１】
理美容師の練習用に用いられる人の頭部を模したウィッグであって、頭部の中心に配置された支持殻と、この支持殻の表面に多数が放射状に配置され、力が加わることで前記支持殻に対する放射状方向へ位置を変更される支持棒と、これらの支持棒の先端に固定される頭皮部分と、を有することを特徴とする理美容師練習用ウィッグ。
【請求項２】
前記支持棒は、筒状の筒棒と、この筒棒の中に支持されスライドするスライド棒と、このスライド位置を摩擦により少なくとも複数の所定位置に保持することで前記放射状方向への位置変更ができる保持手段と、を有することを特徴とする請求項１に記載の理美容師練習用ウィッグ。
【請求項３】
前記保持手段は、前記スライド棒の側面に形成された保持突起と、この保持突起が嵌合して移動するため前記筒棒の側面に形成された移動スリットと、この移動スリットの縁の途中に複数が形成され前記保持突起が保持される凹部と、を有することを特徴とする請求項２に記載の理美容師練習用ウィッグ。
【請求項４】
前記保持手段は、前記スライド棒の側面に形成され圧縮バネにより付勢された保持突起と、この保持突起が嵌合し保持されるため前記筒棒の側面に形成された窓部と、を有しており、前記スライド棒の側面には、スライド棒が軸周りに回動しずれてしまわないようにずれ防止溝が形成され、このずれ防止溝に嵌合して移動するため前記筒棒の裏側面にずれ防止突起が形成されていることを特徴とする請求項２に記載の理美容師練習用ウィッグ。
【請求項５】
前記支持棒は、前記支持殻の表面に形成された保持孔に保持され、支持棒の長手方向の途中には複数の拡径部が設けられ、前記保持孔または前記拡径部は、前記力が加わることではじめて前記保持孔を前記拡径部が通過でき、よって前記放射状方向への位置変更ができる弾性を有することを特徴とする請求項１に記載の理美容師練習用ウィッグ。
【発明の詳細な説明】
【技術分野】
【０００１】
この発明は、理美容師の練習用に用いられる人の頭部を模したウィッグの構造に関する。
【背景技術】
【０００２】
理容師や美容師などの練習用には、人の頭部を模したウィッグが用いられ、このウィッグに被せたかつらの髪の毛に対して、カット、パーマネント、ヘアカラーなどの練習が行われる。
しかし、実際の人の頭の形には、かなり色々の形があり、また大きさにも色々の場合がある。できるだけ色々の形や大きさに慣れていることが、実際に顧客に喜んでもらえる十分なサービスを施すことにつながる。
このため１種類のウィッグでは対応ができない。複数の種類のウィッグを用意することも考えられるが、全ての形や大きさに対応するほど多くのウィッグを用意することは非現実的である。
特許文献１には、一つの人頭部模型を少なくとも顔部と頭部と毛髪とに分割可能に構成し、頭部、或いは毛髪の形状を多様に変形させて、多様な頭部形状、毛髪 形状を作出して、ヘアカット練習における練習対象物の多様化を実現する技術が記載される。
また、特許文献２には、メーキャップのモデルとして、１つの頭部模型に、ふたつの顔部を設けるモデルが開示される。
【特許文献１】特開2004-089467
【特許文献２】実開平06-075311
【発明の開示】
【発明が解決しようとする課題】
【０００３】
しかしながら、特許文献１は、人の頭の形や大きさの多様性に対応するには、多種類の頭部や充填物などの部品を数多く準備しておかなければならず、部品ストックのための場所を確保し、練習時には、数多くの部品を組み立てなければならず時間がかかり、また、面倒である。
【０００４】
特許文献２は、顔のメーキャップではなく、髪の毛に対しての練習に転用するには、頭部模型の表面積上の問題があり、ふたつの頭部を設けることは不可能である。
この発明は、以上の問題点を解決するために、多種類の頭部や充填物などの部品を準備する必要がなく、部品ストックのための場所が不要で、組み立てる必要がなく、操作が容易で、人の頭の形や大きさの多様性に対応できる理美容師練習用ウィッグを提供することを目的とする。
【課題を解決するための手段】
【０００５】
以上の課題を解決するために、第一発明は、理美容師の練習用に用いられる人の頭部を模したウィッグであって、頭部の中心に配置された支持殻と、この支持殻の表面に多数が放射状に配置され、力が加わることで前記支持殻に対する放射状方向へ位置を変更される支持棒と、これらの支持棒の先端に固定される頭皮部分と、を有することを特徴とする理美容師練習用ウィッグである。
【０００６】
第二発明は、さらに、前記支持棒は、筒状の筒棒と、この筒棒の中に支持されスライドするスライド棒と、このスライド位置を摩擦により少なくとも複数の所定位置に保持することで前記放射状方向への位置変更ができる保持手段と、を有することを特徴とする理美容師練習用ウィッグである。
【０００７】
第三発明は、さらに、前記保持手段は、前記スライド棒の側面に形成された保持突起と、この保持突起が嵌合して移動するため前記筒棒の側面に形成された移動スリットと、この移動スリットの縁の途中に複数が形成され前記保持突起が保持される凹部と、を有することを特徴とする理美容師練習用ウィッグである。
第四発明は、さらに、前記保持手段は、前記スライド棒の側面に形成され圧縮バネにより付勢された保持突起と、この保持突起が嵌合し保持されるため前記筒棒の側面に形成された窓部と、を有してなり、前記スライド棒の側面には、スライド棒が軸周りに回動しずれてしまわないようにずれ防止溝が形成され、このずれ防止溝に嵌合して移動するため前記筒棒の側面にずれ防止突起が形成されていることを特徴とする理美容師練習用ウィッグである。
【０００８】
第五発明は、さらに、前記支持棒は、前記支持殻の表面に形成された保持孔に保持され、支持棒の長手方向の途中には複数の拡径部が設けられ、前記保持孔または前記拡径部は、前記力が加わることではじめて前記保持孔を前記拡径部が通過でき、よって前記放射状方向への位置変更ができる弾性を有することを特徴とする請求項１に記載の理美容師練習用ウィッグである。
【発明の効果】
【０００９】
第一、第二、第三、第四、又は第五発明によれば、頭皮部分を押したり、引っ張ったりすることで、支持殻の表面に多数が放射状に配置された支持棒に力が加わり、放射状方向へ位置が変更される。よって、容易な操作で、頭の形や大きさを自在に変更できることとなる。このため従来のように、多種類の頭部や充填物などの部品を準備する必要がなく、部品ストックのための場所が不要で、組み立てる必要がなく、人の頭の形や大きさの多様性に対応できる。
【００１０】
第二、第三、又は第四発明によれば、支持棒は、筒状の筒棒の中にスライド棒が支持された構造を有するので、支持棒の放射状の姿勢を維持し易く、ウィッグ全体を強固にできる。
第三、又は第四発明によれば、支持棒に力が加わると、保持突起が、移動スリット内を移動し、移動スリットの縁の途中に複数が形成された凹部に保持され、節度感を伴って、頭の形や大きさを保持できる。
第四発明によれば、圧縮バネの力を調整することで、軽い力で支持棒の位置が変更できる。
【発明を実施するための最良の形態】
【００１１】
この発明の実施形態を、図１及び図２に示す。
（全体概略）
図１に示すように、この実施形態のウィッグ１は、理美容師の練習用に用いられる人の頭部を模したウィッグ１である。台座部分となる首部３には、顔部５が設けられる。この顔部５の裏側に連続して、頭部７の中心となる支持殻９が配置される。この支持殻９の表面には、多数の支持棒１１が放射状に配置される。これらの支持棒１１の先端には、頭皮部分１３が固定される。
【００１２】
図２に示すように、支持棒１１は、筒状の筒棒１５の中に、スライド棒１７が支持されスライド移動する。また、支持棒１１には、このスライド位置を摩擦により少なくとも複数の所定位置に保持することで放射状方向への位置変更ができる保持手段１９を有する。この保持手段１９は、スライド棒１７の側面に形成された保持突起２１が、筒棒１５の側面に形成された移動スリット２３内に、嵌合して移動し、移動スリット２３の縁の途中に複数が形成された凹部２５に保持される。
【００１３】
また、スライド棒１７が軸周りに回動しずれてしまわないようにずれ防止溝２７が形成さている。そして、このずれ防止溝２７に嵌合して移動するため筒棒１５の裏側面にずれ防止突起２９が形成されている。
さらに、スライド棒１７が筒棒１５から抜けてしまわないように、スライド棒１７の基部３１には、ストッパー突起３３が形成されている。そして、このストッパー突起３３が嵌合して移動するため筒棒１５の側面にストッパースリット３５が形成されている。
（支持殻９）
支持殻９の素材は、プラスチック、金属などが採用でき、支持棒１１と一体的に成形される。支持殻９の内部は、発泡ウレタン、発泡スチロールなどで充填し、支持殻９を内側から支え、強度を出す。
【００１４】
（筒棒１５）
支持棒１１を構成する筒状の筒棒１５は、円形断面を有し、基部３１が支持殻９の表面に一体的に略垂直に直立して設置される。その側面には、長手方向へ沿って移動スリット２３が形成される。この移動スリット２３の縁の途中には、複数の凹部２５が形成される。凹部２５は、半円形のものが一対、対向して配置され、移動スリット２３を挟んで略円形となる。
【００１５】
この筒棒１５の移動スリット２３が形成される側面の半径方向反対側の内側面には、ずれ防止突起２９が形成されている。
また、この筒棒１５の移動スリット及びずれ防止突起２９の双方と９０度異なる側面には、長手方向へ沿って、２条のストッパースリット３５が形成されている。ストッパースリット３５は、筒棒１５の端部近くまで形成され、端部では消失し、これによりストッパーの機能を果たす。もっとも、支持棒が適切な長さならストッパーなしでも可能である。
【００１６】
（スライド棒１７）
支持棒１１を構成するスライド棒１７は、円形断面を有し、先端の円盤部分が頭皮部分１３の内部に位置し、頭皮部分１３に略垂直に直立して設置される。その側面には、長手方向へ沿って、複数の保持突起２１が所定間隔で設けられる。保持突起２１の数は、スライド棒１７の安定性と摩擦を大きくするために、筒棒１５の凹部２５の数と同じにする。
【００１７】
この保持突起２１が形成される側面の半径方向反対側の側面には、筒棒１５のずれ防止突起２９が嵌合し移動するずれ防止溝２７が形成されている。
スライド棒１７の基部３１には、保持突起及びずれ防止溝２７の双方と９０度異なる側面に、２個、ストッパー突起３３が形成され、筒棒１５のストッパースリット３５に嵌合する。
（頭皮部分１３）
頭皮部分１３は、図示しないものの、スライド棒１７の円盤部分が位置するベース層と、このベース層の上に被せられるかつらの層の少なくともふたつを有する。ベース層は、塩化ビニール、ゴム、プラスチックなどが採用できる。
【００１８】
（支持殻９と頭皮部分１３の間）
図１に示すように、支持殻９と頭皮部分１３の間は支持棒１１で支えられた空間３７になるが、この空間３７には、枕素材、たとえば短い固めのプラスチックパイプ、そば殻、低反発ウレタン、など、あるいはこれらの混合物を充填する。これにより、頭皮部分１３を内側から支え、強度を出し頭骨部の変化に対応する。
【００１９】
「実施形態の効果」
この実施形態によれば、頭皮部分１３を押したり、引っ張ったりすることで、支持殻９の表面に放射状に配置された支持棒１１に力が加わり、スライド棒１７が筒棒１５の中をスライド移動し、放射状方向へ位置が変更される。よって、容易な操作で、頭の形や大きさ、すなわち頭骨に相当する部分を自在に変更できることとなる。
【００２０】
このため従来のように、多種類の頭部や充填物などの部品を準備する必要がない。また、部品ストックのための場所が不要で、組み立てる必要がない。このようにして、１つのウィッグ１で、人の頭の形や大きさの多様性に対応できる。
支持棒１１は、筒状の筒棒１５の中にスライド棒１７が支持された構造を有するので、スライド棒１７がふらつかず、よって、支持棒１１の放射状の姿勢を維持し易く、ウィッグ１全体を強固にできる。
スライドに伴って、保持突起２１が、移動スリット２３内を移動し、移動スリット２３の縁の途中に複数が形成された凹部２５に保持されることで、カチ、カチと節度感を伴って、頭の形や大きさを変更できる。
「他の実施形態」
以上の実施形態では、支持殻９に筒状の筒棒１５が、頭皮にスライド棒１７が、設けられた。しかし他の実施形態では、逆に、支持殻９にスライド棒１７が、頭皮に筒状の筒棒１５が設けられてもよい。
【００２１】
以上の実施形態では、支持棒１１の断面形状は円であったが、他の実施形態では、三角、四角（図２（Ｃ））、多角形などとすることができる。そして、三角や四角などの形状であれば軸が安定する為、回転ずれ防止突起は必要ない。
以上の実施形態では、保持突起２１を凹部２５が保持することで、筒棒１５に対するスライド棒１７の変更された状態を維持するものであったが、他の実施形態では、保持突起２１や凹部２５を設けずに、筒棒１５に対するスライド棒１７のきつめの摩擦で、任意の位置で保持が行えるようにもできる。
【００２２】
以上の実施形態では、保持突起２１はスライド棒１７に一体的に設けられるものであったが、他の実施形態では、保持突起２１を別体にし圧縮バネ２２により付勢することで、スムーズな保持移動、強固な保持が可能になる。
すなわち、保持手段１９は、図３（Ａ）に示すようにスライド棒１７の側面に窪みが形成され、この窪みに圧縮バネにより付勢された保持突起２１が収納されることで、この保持突起２１が、スライド棒１７の表面から出没する。そして突出した状態の保持突起２１は、筒棒１５の側面に形成された図示しない窓部に、嵌合し保持される構造にする。この圧縮バネ２２の力を適切なものに設定することで、軽い力でスムーズに支持棒１１の位置が変更できる。
【００２３】
そして、保持突起２１が窓部に保持されていない状態では、スライド棒１７が軸周りに回動してずれてしまう恐れがあるので、筒棒１５にずれ防止突起２９が形成され、このずれ防止突起２９が嵌合して移動するためスライド棒１７の側面にずれ防止溝２７が形成される。
【００２４】
以上の実施形態では、支持棒１１は支持殻９と一体的に成形されるのもであったが、他の実施形態では、別体とすることができる。すなわち、例えば図３（Ｂ）に示すように、支持棒１１の基部３１の端部に形成された第１フランジ３９を支持殻９の表面に当接させ、第１フランジより下の部分４１を支持殻の孔４３に貫通させ、貫通した端部に形成される図示しないネジ孔に、第２フランジ４５の雄ネジを螺合し、支持殻９を狭持して、支持棒１１の取り付けを行うことができる。
【００２５】
以上の実施形態では、支持棒１１による位置の変更は、支持棒１１を構成する筒棒１５とスライド棒１７の構造によるものであったが、他の実施形態では、他の構造を採用できる。
例えば、図示しないものの、支持棒１１は、支持殻９の表面に形成された保持孔に保持されるものとする。そして、支持棒１１の長手方向の途中には複数の拡径部が設けられる。保持孔または拡径部は、頭皮部分１３を押したり、引っ張ったりすることによる力が加わることではじめて保持孔を拡径部が通過できる弾性を有するものとする。これによって放射状方向への支持棒１１の位置変更ができる。
以上の実施形態では、頭皮部分１３は、支持棒１１により直接に指示されるものであった。このように直接に支持される頭皮部分１３は、髪の毛部（人毛、人工毛）含むいわば植毛状態で用いられる。
しかし、他の実施形態では、二重構造により間接に支持することも可能である。すなわち、髪の毛部を有し消耗品となる消耗層と、この消耗層が着脱可能に設けられて、消耗層の下に位置し、支持棒１１により指示されるベース層と、の二重構造にできる。この場合に、ベース層に対して消耗層は、人の頭皮の上に被せるカツラと同じように被せ、着脱するものとできる。この着脱の形式としては、人のカツラと同じ形式を含め、色々の形式が採用できる。消耗層の裏側の複数箇所に設けたボタンにより、でバチバチと止めるボタン形式、消耗層の裏側の複数箇所に設けた針により、ベース層に突き刺して止める針形式、消耗層の裏側の複数箇所に設けた挿入部分を、ベース層に設けた被挿入部分、例えば切れ目などに挿入する挿入形式などが可能である。
【図面の簡単な説明】
【００２６】
【図１】この発明の一実施形態を示すウィッグの全体側面を、頭部を縦断面にして示す断面図である。
【図２】図１の支持棒の一本を拡大して示すもので、（Ａ）は全体図、（Ｂ）は（Ａ）のＢ−Ｂ断面図、（Ｃ）は（Ａ）のＣ−Ｃ断面図、（Ｄ）は（Ａ）のＤ−Ｄ断面図、（Ｅ）は（Ａ）のＥ−Ｅ断面図、（Ｆ）は（Ａ）のＦ−Ｆ断面図である。
【図３】（Ａ）は他の実施形態を示すスライド棒の図２（Ｂ）に相当する断面図、（Ｂ）は他の実施形態を示す支持棒の基部を示す部分図、（Ｃ）は他の実施形態を示すスライド棒の図２（Ｃ）に相当する断面図である。
【符号の説明】
【００２７】
１…ウィッグ、３…首部、５…顔部、７…頭部、９…支持殻、１１…支持棒、１３…頭皮部分、１５…筒棒、１７…スライド棒、１９…保持手段、２１…保持突起、２２…圧縮バネ、２３…移動スリット、２５…凹部、２７…防止溝、２９…防止突起、３１…基部、３３…ストッパー突起、３５…ストッパースリット、３７…空間、３９…第１フランジ、４１…第１フランジより下の部分、４３…支持殻の孔、４５…第２フランジ。
【図１】
2009028380.tif 000003
【図２】
2009028380.tif 000004
【図３】
2009028380.tif 000005